(57)【要約】【課題】迷光を含まない光を出射することにより光学性能に優れた商品性の高い半導体発光装置を提供することにある。【解決手段】ケース５０内に収容された、半導体発光素子１０、波長変換部材２０及び透光部材３０による三重構造体とケース５０の側壁５２との間の間隙に反射樹脂部４０を設け、透光部材３０の上面３１を中央側が下方に凹んだ回転湾曲面で構成するとともに外周端部３１ａにおける接線の延長線の下方にケース５０の側壁５２の上端部５２ａが位置するようにした。【選択図】図２
2018085448.tif 000002
【特許請求の範囲】
【請求項１】
ケースと、
半導体発光素子と、
波長変換部材と、
透光部材と、
反射樹脂部と、を備え、
前記ケースは、一端側に開口部を有し、対向する他端側に底部を有する枡状を呈し、
前記半導体発光素子は、前記ケース内の底部に実装され、
前記波長変換部材は、内部に蛍光体が分散されて前記半導体発光素子の上面上に設けられ、
前記透光部材は、透明材料で形成されて前記波長変換部材の上面上に設けられ、
前記反射樹脂部は、前記半導体発光素子、前記波長変換部材及び前記透光部材による三重構造体と前記ケースの側壁との間の間隙に設けられ、
前記透光部材の上面は、中央側が下方に凹んだ回転湾曲面で構成されるとともに外周端部における接線の延長線の下方に前記ケースの側壁の上端部が位置することを特徴とする半導体発光装置。
【請求項２】
前記透光部材の上面の外周端部が前記ケースの側壁の上端部よりも低い位置にあることを特徴とする請求項１に記載の半導体発光装置。
【請求項３】
前記反射樹脂部は、上面が下方に凹んだ湾曲面で構成されていることを特徴とする請求項１又は請求項２のいずれかに記載の半導体発光装置。
【発明の詳細な説明】
【技術分野】
【０００１】
本発明は、半導体発光装置に関するものであり、詳しくは、発光源の半導体発光素子から発せられた光とは異なる色（色相）の光を出射する半導体発光装置に関する。
【背景技術】
【０００２】
従来、この種の半導体発光装置としては、特許文献１に「半導体発光装置及びその製造方法」の名称で開示されたものがある。
【０００３】
開示された半導体発光装置８０は図８にあるように、回路パターンが形成された実装基板８１上の周縁部に該周縁部に沿って環状に立ち上がるセラミックスからなる側壁８２が設けられ、側壁８２で囲まれた内部の実装基板８１上に半導体発光素子８３が実装されると共に半導体発光素子８３の上面８４及び側面８５からなる表面８６上に波長変換層８７が設けられてさらにその上に透明板８８が配置されている。そして、半導体発光素子８３、波長変換層８７及び透明板８８の三重構造と側壁８２との間にある間隙に拡散反射部材８９が充填された構成を有している。
【０００４】
これにより、半導体発光素子８３内の活性層９０で発せられて半導体発光素子８３の表面８６及び活性層９０の側面９１から素子外に放出された光は、波長変換層８７及び透明板８８を経て外部に向けて出射される。
【先行技術文献】
【特許文献】
【０００５】
【特許文献１】特開２０１５−２６７５３号
【発明の概要】
【発明が解決しようとする課題】
【０００６】
ところで、上記構成からなる半導体発光装置８０において、製造から使用するまでの間のハンドリングにおいて透明板８８の表面に傷がついて光学性能に悪影響を及ぼすことのないように、側壁８２の高さを透明板８８の表面９２よりも高くすることによって側壁８２に透明板８８の保護機能を持たせることが考えられる。
【０００７】
その場合、図９にあるように、透明板８８の表面９２から斜め上方に出射された光が、側壁８２の内周面９３に接触した拡散反射部材８９の、透明板８８の表面９２より出っ張った領域に照射されてその反射光が前方に向けて照射される。これを、半導体発光装置８０の出射光の照射方向側から見ると、側壁８２の内周面９３の上端９４の近傍に沿って、該上端９４の内側から出射されるランバーシアンに近い配光の光に対してそのランバーシアン配光よりも部分的に鮮明で明るい帯状で環状（リング状）の出射光が観察される。
【０００８】
この、帯状光はランバーシアン配光の光に対して不具合な迷光として半導体発光装置の見栄えを損なうものとなり、発光装置としての商品性の低下を招くことになる。
【０００９】
そこで、本発明は上記問題に鑑みて創案なされたもので、その目的とするところは、迷光を含まない光を出射することにより光学性能に優れた商品性の高い半導体発光装置を提供することにある。
【課題を解決するための手段】
【００１０】
上記課題を解決するために、本発明の請求項１に記載された発明は、ケースと、半導体発光素子と、波長変換部材と、透光部材と、反射樹脂部と、を備え、前記ケースは、一端側に開口部を有し、対向する他端側に底部を有する枡状を呈し、前記半導体発光素子は、前記ケース内の底部に実装され、前記波長変換部材は、内部に蛍光体が分散されて前記半導体発光素子の上面上に設けられ、前記透光部材は、透明材料で形成されて前記波長変換部材の上面上に設けられ、前記反射樹脂部は、前記半導体発光素子、前記波長変換部材及び前記透光部材による三重構造体と前記ケースの側壁との間の間隙に設けられ、前記透光部材の上面は、中央側が下方に凹んだ回転湾曲面で構成されるとともに外周端部における接線の延長線の下方に前記ケースの側壁の上端部が位置することを特徴とするものである。
【００１１】
また、本発明の請求項２に記載された発明は、請求項１において、前記透光部材の上面の外周端部が前記ケースの側壁の上端部よりも低い位置にあることを特徴とするものである。
【００１２】
また、本発明の請求項３に記載された発明は、請求項１又は請求項２のいずれかにおいて、前記反射樹脂部は、上面が下方に凹んだ湾曲面で構成されていることを特徴とするものである。
【発明の効果】
【００１３】
本発明によれば、ケース内に収容された、半導体発光素子、波長変換部材及び透光部材による三重構造体とケースの側壁との間の間隙に反射樹脂部を設け、透光部材の上面（光出射面）を中央側が下方に凹んだ回転湾曲面で構成されるとともに外周端部における接線の延長線の下方にケースの側壁の上端部が位置するようにした。
【００１４】
これにより、半導体発光素子から発せられて波長変換部材及び透光部材を経て透光部材の光出射面の外周端部に入射した光は、いずれもケースの側壁の内周面及び反射樹脂部の表面に照射されることはない。
【００１５】
そのため、半導体発光装置からの出射光は、ケースの側壁の内周面上端の近傍に沿う環状の迷光を含むものではなく、光学性能に優れた商品性の高い半導体発光装置が実現する。
【図面の簡単な説明】
【００１６】
【図１】本発明に係る実施形態の半導体発光装置の平面図である。
【図２】図１のＡ−Ａ断面図である。
【図３】比較例の光路図である。
【図４】本実施形態と比較例との光路図である。
【図５】実施形態の部分断面図である。
【図６】図５のＣ部詳細図である。
【図７】透光部材の光出射面の外周端部における光路図である。
【図８】従来例の説明図である。
【図９】従来例の説明図である。
【発明を実施するための形態】
【００１７】
以下、この発明の好適な実施形態を図１〜図７を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００１８】
図１は本発明に係る実施形態の半導体発光装置の平面図、図２は図１のＡ−Ａ断面図である。
【００１９】
半導体発光装置１は、発光源の半導体発光素子（以下、「発光素子」と略称する）１０、波長変換部材２０、透光部材３０、反射樹脂部４０及びケース５０を備えている。
【００２０】
ケース５０は、例えばセラミックスで形成され、一端側に開口部を有し、対向する他端側に底部を有する枡状を呈すると共に、底部５１の内面に発光素子１０をダイボンディングするダイボンディングパッド５３及びボンディングワイヤ６１をワイヤボンディングするワイヤボンディングパッド５４を有している。
【００２１】
発光素子１０は、後述する波長変換部材２０内に分散された蛍光体を励起する波長の光（具体的には、例えば青色光）を発する青色ＬＥＤ素子が用いられ、ケース５０の底部５１のダイボンディングパッド５３上にはんだ等の導電部材６０を介して実装されて発光素子１０の図示しない下側電極とダイボンディングパッド５３との電気的導通が図られており、発光素子１０の図示しない上側電極がボンディングワイヤ６１を介してワイヤボンディングパッド５４に接続されて発光素子１０の上側電極とワイヤボンディングパッド５４との電気的導通が図られている。
【００２２】
発光素子１０の上面（光出射面）１１上には波長変換部材２０が平板状に設けられており、波長変換部材２０は、発光素子１０から発せられた青色光の励起によって青色光の補色となる黄色光を放出する黄色蛍光体を、例えば透明エポキシ樹脂や透明シリコーン樹脂などの透明樹脂に分散して硬化したもの（蛍光体樹脂）、あるいはアルミナなどのセラミック材料に分散して焼結したもの（蛍光体セラミックス）などが用いられる。
【００２３】
波長変換部材２０の上面（光出射面）２１上には透光部材３０が設けられており、透光部材３０は、ガラスや樹脂等の透明材料で形成されている。
【００２４】
更に、発光素子１０、波長変換部材２０及び透光部材３０による三重構造体とケース５０の側壁５２との間にある間隙に反射樹脂部４０が設けられている。
【００２５】
反射樹脂部４０は、酸化チタンなどの光反射性を有する粒子が分散されて光反射性を備えると共に遮光性も備えた白色樹脂で形成され、発光素子１０の側面１３、波長変換部材２０の側面２３及び透光部材３０の側面３３の夫々に接すると共に、ボンディングワイヤ６１及びワイヤボンディングパッド５４の夫々を封止している。
【００２６】
なお、透光部材３０は、上面（光出射面）３１の形状を中央側が下方に凹んだボウル状の自由曲面からなる、発光素子１０の光軸Ｘを回転軸とする回転湾曲面で構成し、ケース５０の側壁５２の平坦面からなる上端部５２ａが、透光部材３０の上面３１の最も高い位置にある外周端部３１ａよりも更に高い位置に位置している。
【００２７】
これにより、ケース５０の側壁５２に透光部材３０に対する保護機能を持たせて、半導体発光装置１の製造から使用するまでの間のハンドリングにおいて透光部材３０の上面３１が傷ついたり透光部材３０自体に割れが生じたりして光学性能に悪影響を及ぼすことのないように図られている。
【００２８】
次に、上記構成からなる半導体発光装置１において、透光部材３０の上面３１の形状、及び透光部材３０の上面３１の外周端部３１ａとケース５０の側壁５２の上端部５２ａとの位置関係による光学的な作用効果について以下に説明する。
【００２９】
仮に図３の比較例に示すように、透光部材３０の上面３１が平坦面で構成され、且つ、ケース５０の側壁５２の上端部５２ａの高さが透光部材３０の上面３１よりも高く設定された場合、透光部材３０の上面３１からは、発光素子１０から発せられて波長変換部材２０及び透光部材３０内を透過した光（青色光）、及び発光素子１０から発せられた光が波長変換部材２０内に分散された蛍光体（黄色蛍光体）を励起することにより波長変換されて透光部材３０内を透過した光（黄色光）の夫々において、透光部材３０の光出射面３１に対して臨界角よりも小さい角度で入射した光が光出射面３１から外部に出射され、その出射光（青色光及び黄色光）はいずれも光出射面３１側のほぼ１８０°範囲の全方向に向けて照射される。
【００３０】
そのうち広角度で出射した光が、ケース５０の側壁５２の内周面５２ｂに接触した反射樹脂部４０の表面４１の、透光部材３０の上面３１より高い位置に位置する領域に照射されてその反射光が前方に向けて照射される。この半導体発光装置１を出射光の照射方向側から見ると、ケース５０の側壁５２の内周面上端５２ｃの近傍に沿って違和感のある鮮明で明るい帯状で環状の迷光が観察される。
【００３１】
これに対し、実施形態の半導体発光装置１は、透光部材３０の光出射面３１を中央側が下方に凹んだボウル状の自由曲面からなる回転湾曲面で構成し、且つケース５０の側壁５２の上端部５２ａを、透光部材３０の光出射面３１の最も高い位置にある外周端部３１ａよりも更に高い位置に位置させた（図２参照）。
【００３２】
そこで、透光部材３０の光出射面３１の形状が、平坦面の場合と回転湾曲面の場合との光学的な違いは、同一光路を経て透光部材３０の光出射面３１に至った入射光の光出射面３１に対する入射角度が異なることにある。
【００３３】
具体的には、図４の光路図に示すように、同一光路を経て透光部材３０の光出射面３１に至った入射光は、光出射面３１が平坦面３４の場合よりも回転湾曲面３５の場合の方が光出射面３１に対して大きい傾斜角度（入射角度）で入射する。そのため、発光素子１０の光出射面１１の適宜な位置の発光点からその直上方向（発光素子１０の光軸Ｘに沿う方向）に対して放射方向に発せられて波長変換部材２０及び透光部材３０を経て透光部材３０の光出射面３１に入射する光のうち、光出射面３１に臨界角よりも小さい角度で入射する光は、光出射面３１が平坦面３４の場合よりも回転湾曲面３５の場合の方が発光素子１０から発せられる光の放射角度範囲が小さくなる。
【００３４】
なお、図４では、光出射面３１が平坦面３４の場合の光出射面３１からの出射光の光路を破線で表し、光出射面３１が回転湾曲面３５の場合の光出射面３１からの出射光の光路を実線で表している。
【００３５】
そして、光出射面３１に臨界角よりも小さい角度で入射する、発光素子１０から放射角度範囲に発せられた光以外の光、つまり、発光素子１０から前記放射角度範囲よりも広角方向に発せられた光は、光出射面３１に対して臨界角以上の角度で入射するため、透光部材３０内を光出射面３１に沿う光又は光出射面３１による全反射によって透光部材３０内に戻る光となって光出射面３１から外部に出射されることはない。
【００３６】
つまり、光出射面３１の形状を、透光部材３０の光出射面３１を中央側が下方に凹んだボウル状の自由曲面からなる回転湾曲面で構成することにより、発光素子１０から発せられて透光部材３０の光出射面３１に入射した光に対して全反射領域を広げて出射光の出射方向を斜め上方に向けることにより、ケース５０の側壁５２の内周面５２ｂに接触した反射樹脂部４０の表面４１の、透光部材３０の上面３１より高い位置に位置する領域に照射されるのを防止し、観察者に違和感を与える迷光の発生が抑制される。
【００３７】
また、図５に示すように、中央側が下方に凹んだボウル状の自由曲面からなる回転湾曲面３５で構成された透光部材３０の光出射面３１の外周端部３１ａとケース５０の側壁５２の内周面５２ｂとの距離をＡとし、透光部材３０の光出射面３１の外周端部３１ａとケース５０の側壁５２の上端部５２ａとの高さの差をＢとし、透光部材３０の光出射面３１の外周端部３１ａから該外周端部３１ａを含む水平面（発光素子１０の光出射面１１に平行な面）Ｙに対してケース５０の側壁５２の内周面上端５２ｃを仰ぐ仰角をθｈとし（θｈ＝ｓｉｎ−１（Ｂ／Ａ））、図６に示すように、透光部材３０の光出射面３１の外周端部３１ａにおける接線３６と水平面Ｙとのなす角をθｇとすると、θｇ＞θｈの関係になるように設定されている。
【００３８】
つまり、水平面Ｙに対する透光部材３０の光出射面３１の外周端部３１ａにおける接線の角度θｇが、透光部材３０の光出射面３１の外周端部３１ａから水平面Ｙに対してケース５０の側壁５２の内周面上端５２ｃを仰ぐ仰角θｈよりも大きい角度になるように設定されている。換言すると、透光部材３０の光出射面３１の外周端部３１ａにおける接線の延長線の下方にケース５０の側壁５２の内周面上端５２ｃが位置する。
【００３９】
これにより図７に示すように、発光素子１０から発せられて波長変換部材２０及び透光部材３０を経て透光部材３０の光出射面３１の外周端部３１ａに入射する光のうち、臨界角α１で入射した光Ｌ１は光出射面３１から接線３６に沿う方向に出射される。このとき、透光部材３０の光出射面３１の外周端部３１ａにおける水平面Ｙに対する接線３６の角度θｇが、透光部材３０の光出射面３１の外周端部３１ａからケース５０の側壁５２の内周面上端５２ｃを仰ぐ仰角θｈよりも大きく設定されているため、透光部材３０の光出射面３１から接線３６に沿う方向に出射された光は、ケース５０の側壁５２の上端部５２ａの上方を通過してケース５０の側壁５２には照射されることはない。
【００４０】
また、臨界角よりも小さい角度α２で入射した光Ｌ２は、臨界角で入射光した光Ｌ１が出射した方向よりも上方に向けて出射され、臨界角よりも大きい角度α３で入射した光Ｌ３は光出射面３１で全反射されて透光部材３０内に戻り、側面３３に接する反射樹脂部４０で再度透光部材３０内に戻される。
【００４１】
したがって、発光素子１０から発せられて波長変換部材２０及び透光部材３０を経て透光部材３０の光出射面３１の外周端部３１ａに入射した光は、いずれもケース５０の側壁５２の内周面５２ｂ及び反射樹脂部４０の表面４１に照射されることはない。
【００４２】
そのため、半導体発光装置１からの出射光は、ケース５０の側壁５２の内周面上端５２ｃの近傍に沿う環状の迷光を含むものではなく、光学性能に優れた商品性の高い半導体発光装置が実現する。
【符号の説明】
【００４３】
１…  半導体発光装置
１０…  半導体発光素子
１１…  上面（光出射面）
１３…  側面
２０…  波長変換部材
２１…  上面（光出射面）
２３…  側面
３０…  透光部材
３１…  上面（光出射面）
３１ａ…  外周端部
３３…  側面
３４…  平坦面
３５…  回転湾曲面
３６…  接線
４０…  反射樹脂部
４１…  表面
５０…  ケース
５１…  底部
５２…  側壁
５２ａ…  上端部
５２ｂ…  内周面
５２ｃ…  内周面上端
５３…  ダイボンディングパッド
５４…  ワイヤボンディングパッド
６０…  導電部材
６１…  ボンディングワイヤ
【図１】
2018085448.tif 000003
【図２】
2018085448.tif 000004
【図３】
2018085448.tif 000005
【図４】
2018085448.tif 000006
【図５】
2018085448.tif 000007
【図６】
2018085448.tif 000008
【図７】
2018085448.tif 000009
【図８】
2018085448.tif 000010
【図９】
2018085448.tif 000011